(57)【要約】【課題】液体の吐出ヘッドの温度が環境温度に充分に近づいたときの吐出ヘッド用の温度センサの検出温度を短時間で効率よく推定して、吐出ヘッド用の温度センサを速やかに校正すること。【解決手段】ダイオードセンサ１７によって記録ヘッド１の温度を検出し、サーミスタ１０によって環境温度を検出する。記録ヘッド１に対するインク充填時におけるダイオードセンサ１７の検出温度の変化に基づいて、記録ヘッド１の温度が環境温度に近づいたときのダイオードセンサ１７の検出温度を推定検出温度として推定する。推定検出温度と環境温度との差に基づいて、ダイオードセンサ１７のセンサの校正値を設定する。【選択図】図４
2019104185.tif 000002
【特許請求の範囲】
【請求項１】
液体を吐出可能な吐出ヘッドと、
前記吐出ヘッドの温度を検出する第１検出手段と、
前記吐出ヘッドの環境温度を検出する第２検出手段と、
前記吐出ヘッドに前記液体を充填する充填手段と、
前記充填手段による前記液体の充填時における前記第１検出手段の検出温度の温度変化に基づいて、前記吐出ヘッドの温度が前記環境温度に近づいたときの前記第１検出手段の検出温度を推定検出温度として推定する推定手段と、
前記推定検出温度と前記環境温度との差に基づいて、前記第１検出手段の校正値を設定する設定手段と、
前記校正値に基づいて前記第１検出手段を校正する校正手段と、
前記校正手段により校正された前記第１検出手段の検出温度に基づいて、前記吐出ヘッドを制御する制御手段と、
を備えることを特徴とする液体吐出装置。
【請求項２】
前記温度変化は、前記第１検出手段が２回検出する前記吐出ヘッドの検出温度の差に対応することを特徴とする請求項１に記載の液体吐出装置。
【請求項３】
前記推定手段は、前記液体の充填時における第１時刻ｔ１と、前記第１検出手段によって前記第１時刻ｔ１に検出される第１検出温度Ｔ１と、前記第１時刻ｔ１よりも後の前記液体の充填時における第２時刻ｔ２と、前記第１検出手段によって前記第２時刻ｔ２に検出される第２検出温度Ｔ２と、前記液体の熱伝導率に比例する比例係数Ａと、に基づいて、前記推定検出温度を推定することを特徴とする請求項２に記載の液体吐出装置。
【請求項４】
前記推定手段は、前記第１検出温度Ｔ１と前記第２検出温度Ｔ２との温度差をΔＴとし、かつ前記比例係数Ａを前記第１時刻ｔ１と前記第２時刻ｔ２との時間間隔Δｔを一定間隔に固定したときの係数としたときに、下式により前記推定検出温度をＴｅとして推定することを特徴とする請求項３に記載の液体吐出装置。
Ｔｅ＝Ｔ２＋Ａ×ΔＴ
【請求項５】
前記推定手段は、前記吐出ヘッドに前記液体が入り始めた時点以降における前記温度変化に基づいて、前記推定検出温度を推定することを特徴とする請求項１から４のいずれか1項に記載の液体吐出装置。
【請求項６】
前記推定手段は、前記液体の充填時における前記第１検出手段の検出温度の時間に関する１階微分または２階微分の微分値に基づいて、前記吐出ヘッドに前記液体が入り始めた時点を判定することを特徴とする請求項５に記載の液体吐出装置。
【請求項７】
前記推定手段は、前記微分値が所定の閾値を超えたときを前記吐出ヘッドに前記液体が入り始めた時点と判定することを特徴とする請求項６に記載の液体吐出装置。
【請求項８】
前記設定手段は、（ａ）前記微分値が前記閾値を超えたときに、前記推定検出温度と前記環境温度との差に基づいて前記校正値を設定し、（ｂ）前記微分値が前記閾値を以下のときに、前記液体の充填時における前記第１検出手段の検出温度と前記環境温度との差に基づいて前記校正値を設定することを特徴とする請求項７に記載の液体吐出装置。
【請求項９】
請求項１から８のいずれか１項に記載の液体吐出装置であって、前記吐出ヘッドは、前記液体としてのインクを吐出可能な記録ヘッドである液体吐出装置と、
前記記録ヘッドと記録媒体とを相対移動させる移動手段と、
を備えることを特徴とするインクジェット記録装置。
【請求項１０】
液体を吐出可能な吐出ヘッドの温度を検出する第１検出手段の校正方法であって、
前記吐出ヘッドの環境温度を検出する検出工程と、
前記吐出ヘッドに前記液体を充填する充填工程と、
前記吐出ヘッドに対する前記液体の充填時における前記第１検出手段の検出温度の温度変化に基づいて、前記吐出ヘッドの温度が前記環境温度に近づいたときの前記第１検出手段の検出温度を推定検出温度として推定する推定工程と、
前記推定検出温度と前記環境温度との差に基づいて、前記第１検出手段の校正値を設定する設定工程と、
前記校正値に基づいて前記第１検出手段を校正する校正工程と、
を含むことを特徴とする校正方法。
【請求項１１】
請求項１０の校正方法をコンピュータに実行させるプログラム。
【発明の詳細な説明】
【技術分野】
【０００１】
本発明は、種々の液体を吐出可能な液体吐出装置、インクジェット記録装置、校正方法、およびプログラムに関するものである。
【背景技術】
【０００２】
液体吐出装置としてのインクジェット記録装置において、液体の吐出ヘッドとしての記録ヘッドの温度に応じて記録ヘッドを制御する場合、記録ヘッド用の温度センサとして、記録ヘッドの基板上に形成可能なダイオードセンサなどが多く用いられる。ダイオードセンサはオフセット公差が大きいため、一般には、サーミスタなどの温度センサによって検出される環境温度を基準にして、ダイオードセンサの検出温度が校正される。その校正値を求める場合には、記録ヘッドの温度が環境温度とほぼ一致していることが前提となる。しかし、例えば、炎天下の車内または寒冷状態の倉庫などから運び出した直後の記録ヘッドを常温状態の記録装置に装着した場合などにおいては、記録ヘッドの温度が環境温度と著しく乖離するため、校正値を速やかに求めることができない。
【０００３】
特許文献１には、一定状態における記録ヘッドの検出温度を２回以上取得し、記録ヘッドの温度が環境温度に充分に近づいたときの記録ヘッド用の温度センサの検出温度を事前に推定し、その温度に基づいて校正値を求める方法が記載されている。また、特許文献２には、記録ヘッドに対するインク充填の前後における記録ヘッドの温度差が所定の閾値よりも大きいときには、記録ヘッドの温度が環境温度に充分に近づいていないと判定して、予め設定した固定値を校正値として設定する方法が記載されている。
【先行技術文献】
【特許文献】
【０００４】
【特許文献１】特開平７−６０９９４号公報
【特許文献２】特開２０１６−１５９６１９号公報
【発明の概要】
【発明が解決しようとする課題】
【０００５】
特許文献１の方法において、温度センサの校正値を速やかに求めるために記録ヘッドの２回の温度検出の時間間隔を短くした場合には、推定精度が低下し、一方、その時間間隔を長くした場合には、記録装置が記録可能となるまでに長い時間が掛かってしまう。また、特許文献２の方法において、予め設定した固定値を校正値とした場合に、記録ヘッド用の温度センサ固有のオフセット公差が公正されずに残ってしまう。
【０００６】
本発明の目的は、液体の吐出ヘッドの温度が環境温度に充分に近づいたときの吐出ヘッド用の温度センサの検出温度を短時間で効率よく推定して、吐出ヘッド用の温度センサを速やかに校正することにある。
【課題を解決するための手段】
【０００７】
本発明の液体吐出装置は、液体を吐出可能な吐出ヘッドと、前記吐出ヘッドの温度を検出する第１検出手段と、前記吐出ヘッドの環境温度を検出する第２検出手段と、前記吐出ヘッドに前記液体を充填する充填手段と、前記充填手段による前記液体の充填時における前記第１検出手段の検出温度の温度変化に基づいて、前記吐出ヘッドの温度が前記環境温度に近づいたときの前記第１検出手段の検出温度を推定検出温度として推定する推定手段と、前記推定検出温度と前記環境温度との差に基づいて、前記第１検出手段の校正値を設定する設定手段と、前記校正値に基づいて前記第１検出手段を校正する校正手段と、前記校正手段により校正された前記第１検出手段の検出温度に基づいて、前記吐出ヘッドを制御する制御手段と、を備えることを特徴とする。
【発明の効果】
【０００８】
本発明によれば、液体の充填時における吐出ヘッド用の温度センサの検出温度の変化に基づいて、吐出ヘッドの温度が環境温度に充分に近づいたときの温度センサの検出温度を事前に短時間で効率よく推定することができる。この結果、吐出ヘッドを液体吐出装置に装着した後、吐出ヘッド用の温度センサの検出温度を速やかに校正して、その校正後の検出温度に基づいて吐出ヘッドを制御することができる。
【図面の簡単な説明】
【０００９】
【図１】本発明の第１の実施形態におけるインクジェット記録装置の概略斜視図である。
【図２】図１の記録ヘッドの斜視図である。
【図３】図２の記録ヘッドの温度の検出回路の説明図である。
【図４】図１のインクジェット記録装置における制御システムのブロック図である。
【図５】図１のインクジェット記録装置におけるインクの供給・排出系の説明図である。
【図６】固体と流体との間の熱交換の関する式の説明図である。
【図７】固体が異なる流体と熱交換した際の温度変化の説明図である。
【図８】ダイオードセンサの検出温度の校正処理を説明するためのフローチャートである。
【図９】ダイオードセンサの検出温度の校正値の算出過程における具体的な数値の説明図である。
【図１０】本発明の第２の実施形態における記録ヘッドの検出温度の微分値の一例の説明図である。
【図１１】本発明の第２の実施形態における記録ヘッドの検出温度の微分値の他の例の説明図である。
【発明を実施するための形態】
【００１０】
以下、本発明の実施形態を図面に基づいて説明する。
【００１１】
（第１の実施形態）
図１から図９は、本発明の第１の実施形態を説明するための図である。
【００１２】
［記録装置の概略構成］
本発明の第１の実施形態におけるインクジェット記録装置の概略斜視図である。本例のインクジェット記録装置は、記録媒体５の記録幅方向における記録ヘッド１の往復移動を伴って画像を記録する、いわゆるシリアル型の記録装置である。
【００１３】
記録ヘッド１は、複数の吐出口からインクを吐出可能なインクジェット記録ヘッドであり、キャリッジ２に着脱可能に搭載される。キャリッジ２は、矢印Ｘの主走査方向に往復移動する。具体的に、キャリッジ２は、主走査方向に延在するガイドレール３に沿って移動可能に支持されており、ガイドレール３と並行に移動する無端ベルト４に連結されている。キャリッジモータ（ＣＲモータ）の駆動力によって無端ベルト４が往復移動されることにより、キャリッジ２と共に記録ヘッド１が主走査方向に往復移動する。記録媒体５は、搬送ローラ６によって、主走査方向と交差（本例の場合は、直交）する矢印Ｙの副走査方向に搬送される。詳述するインク供給システム７には、インク色毎に対応する複数の独立したメインタンクが備えられている。インク供給システム７と記録ヘッド１は、インク色に対応する複数の柔軟な供給チューブ８によって接続されている。メインタンク内に収納された各色のインクは、それに対応する記録ヘッド１の各ノズル列に対して、独立して供給することができる。
【００１４】
このようなシリアル型の記録装置は、記録ヘッド１からインクを吐出させつつ、その記録ヘッド１と共にキャリッジ２を主走査方向に移動させる記録走査と、副走査方向への記録媒体５の搬送動作と、を繰り返すことによって、記録媒体５に画像を記録する。また、記録装置の本体には、記録ヘッド１のインク吐出状態を良好に維持するための回復処理装置９が備えられている。回復処理装置９は、記録ヘッド１の吐出口をキャップによって覆うことが可能なキャッピング機構、および記録ヘッド１の吐出口からキャップを介してインクを吸引可能なポンプ機構が備えられている。また、ＣＰＵ（図３参照）１０１等が備わる記録装置の主制御部１００の近傍には、記録装置内の雰囲気温度（環境温度）を検出するためのサーミスタ（第２温度センサ）１０が備えられている。
【００１５】
［記録ヘッド］
図２（ａ）は、記録ヘッド１の分解の斜視図、図２（ｂ）は、組み立て後の記録ヘッド１の斜視図である。
【００１６】
記録ヘッド１は、図２（ａ）のように、記録素子ユニット１４と、チッププレート１５と、支持部材１６と、が接合された形態である。記録素子ユニット１４は、電気配線シート１１、記録素子を備える記録素子基板１２、および電気配線シート１１の変形を防止する変形防止部材１３を含む。本例の記録素子は、インクを吐出させるエネルギーを発生させる吐出エネルギー発生素子を用いて、圧力室内のインクを吐出口から吐出するように構成されている。吐出エネルギー発生素子としては、電気熱変換素子（ヒータ）またはピエゾ素子などを用いることができる。電気配線シート１１は、ＴＡＢ（Ｔａｐｅ−Ａｕｔｏｍａｔｅｄ  Ｂｏｎｄｉｎｇ）方式により作製される。記録素子基板１２には、記録素子近傍の温度を検出するためのダイオードセンサ（第２検出部）１７が配備されている。変形防止部材１３は、主としてアルミナ等により形成され、支持部材１６は、主として変性ＰＰＥ（ポリフェニレンエーテル）等により形成されている。チッププレート１５は、支持部材１６の内部に入り込むように組み合わされるため、その組み立て性が優れている。また、変形防止部材１３と支持部材１６との間の隙間を封止するために、樹脂製等の封止材が用いられている。
【００１７】
［記録ヘッドの温度の検知回路］
図３は、記録ヘッド１の温度の検知回路の説明図である。本例の回路においては、記録ヘッド１の外部に設けられた定電流回路２１によって、記録ヘッド１内のダイオードセンサ１７にバイアス電流を供給し、ダイオードセンサ１７の順方向電圧を増幅回路２２，２３により増幅する。この増幅回路２３の出力電圧がＡ／Ｄ変換回路２５によりデジタルデータに変換され、ＣＰＵ１０１は、そのデジタルデータに基づいて記録ヘッド１の温度情報を取得する。
【００１８】
［記録装置本体の制御システム］
図４は、本例の記録装置の本体に搭載される制御システム（制御手段）のブロック構成図である。
【００１９】
主制御部１００は、演算、制御、判別、設定などの処理動作を実行するＣＰＵ１０１、およびＣＰＵ１０１によって実行すべき制御プログラム等を格納するＲＯＭ１０２を備える。さらに主制御部１００は、インクの吐出／非吐出を表す２値の記録データを格納するバッファおよびＣＰＵ１０１による処理のワークエリア等として用いられるＲＡＭ１０３と、入出力ポート１０４と、を備える。ＲＡＭ１０３は、記録動作前後のメインタンクのインク量、およびサブタンクの空き容量等を記憶する記憶手段としても用いることができる。入出力ポート１０４には、搬送ローラ６を駆動させる搬送モータ（ＬＦモータ）１１３、キャリッジモータ（ＣＲモータ）１１４、記録ヘッド１、および回復処理装置９などを駆動する駆動回路１０５、１０６、１０７、および１０８が接続されている。これらの駆動回路１０５，１０６，１０７，１０８は、主制御部１００により制御される。入出力ポート１０４には、記録ヘッド１の温度を検出するダイオードセンサ１７、キャリッジ２に固定されたエンコーダセンサ１１１、記録装置内の雰囲気温度（環境温度）を検出するサーミスタ（第１検出部）１０などの各種センサ類が接続されている。また、主制御部１００は、インターフェース回路１１０を介してホストコンピュータ１１５に接続されている。
【００２０】
回復処理カウンタ１１６は、回復処理装置９によって、記録ヘッド１から画像の記録に寄与しないインクを強制的に排出させた場合に、そのインク量をカウントする。予備吐出カウンタ１１７は、記録開始前、記録終了時、および記録中の予備吐出により吐出されるインクの量をカウントする。ふち無しインクカウンタ１１８は、フチ無し記録を行う場合に、記録媒体５の領域外に吐出されるインの量をカウントし、吐出ドットカウンタ１１９は、記録中におけるインクの吐出数をカウントする。
【００２１】
記録動作に際しては、まず、ホストコンピュータ１１５からインターフェース回路１１０を介し受信した記録データをＲＡＭ１０３のバッファに展開する。そして、記録動作が指示されることにより、搬送ローラ６が作動して、記録媒体５が記録ヘッド１と対向する位置へ搬送され、キャリッジ２がガイドレール３に沿って主走査方向に移動される。キャリッジ２の移動に伴って、記録ヘッド１が吐出口からインクを吐出することにより、１バンド分の画像が記録媒体５に記録される。その後、搬送ローラ６により、記録媒体５が副走査方向に１バンド分だけ搬送される。このような動作を繰り返すことにより、記録媒体５に所定の画像が記録される。
【００２２】
キャリッジ２の移動位置は、キャリッジ２の移動に伴ってエンコーダセンサ１１１から出力されるパルス信号を主制御部１００がカウントすることにより検出される。すなわち、主走査方向に沿って配備された不図示のエンコーダフィルムには検出部が一定の間隔で形成されており、エンコーダセンサ１１１は、その検出部をが検出し、キャリッジ２の移動に応じたパルス信号を出力する。主制御部１００、そのパルス信号をカウントすることにより、キャリッジ２の移動位置を検出する。キャリッジ２のホームポジションへの移動、および他の位置への移動は、エンコーダセンサ１１１からの信号に基づいて制御される。
【００２３】
［インク供給システム］
図５は、記録装置におけるインクの供給・排出系の説明図である。
【００２４】
インクタンク３０内のインクは、インク供給部３１Ａから、供給管３２、ジョイント３３、圧力室３４、供給管３５、および供給弁３６を経由して記録ヘッド１に供給される。インクタンク３０と圧力室３４との間の弁３７、および圧力室３４と供給弁３６との間の弁３８は、必要に応じて開閉される。圧力室３４には、一定量以下のインクを溜め込むことができる。ポンプ３９は、圧力室３４内を減圧することにより、インクタンク３０から圧力室３４内にインクを吸い出し、また圧力室３４内を加圧することにより、圧力室３４内に溜め込まれたインクを記録ヘッド１に供給する。本例のインクタンク３０は、少なくとも一部が可撓性部材によって形成されたインク収容部３０Ａと、圧力導入部３１Ｂを通してポンプ３１Ｃに連通される圧力調整可能な圧力調整部３０Ｂと、を含む。ポンプ３１Ｃを用いて圧力調整部３０Ｂ内に圧力を制御することにより、インク収容部３０Ａ内のインク量に変化に拘わらず、そのインクの圧力を所定の範囲内に制御することができる。
【００２５】
記録ヘッド１から吐出された記録に寄与しないインク（廃インク）は、キャップ４１および予備吐出口４２に集められてから、廃インク回収管４３を経由して廃インク溜め４４に貯留される。キャップ４１は、記録媒体上の記録領域から主走査方向の一方側に外れた位置に配備されており、非記録時に記録ヘッド１における吐出口の形成面（吐出口面）を保護・保湿するために用いられる。また、キャップ４１は、記録開始前および記録中に予備吐出されたインクを受けるため、および記録ヘッド１の吐出口からインクを吸引する吸引回復動作のためにも用いられる。予備吐出によりキャップ４１内に溜まった廃インクは、吸引ポンプ４５により回収されて、廃インク回収管４３を経由して廃インク溜め４４に貯留される。
【００２６】
吸引回復動作時には、記録ヘッド１の吐出口面にキャップ４１が密着し、吸引ポンプ４５によって、記録ヘッド１の吐出口からキャップ４１内にインクが吸い出され、そのインクが廃インク回収管４３を経由して廃インク溜め４４に貯留される。予備吐出口４２は、記録媒体上の記録領域から主走査方向の他方側に外れた位置、つまりキャップ４１とは反対側の位置に配備され、もしくは、記録媒体上の記録領域の外の任意の位置に配備される。予備吐出口４２に溜まった廃インクは、重力により、廃インク回収管４３を経由して廃インク溜め４４に貯留される。
【００２７】
記録ヘッド１のインク収容部を構成する壁の一部は、可撓性膜４６により構成されている。可撓性膜４６は、インクの消費に伴う記録ヘッド１内の圧力変化に応じて伸縮し、その伸縮は、可撓性膜４６に連結されたアーム４７を介して、供給弁３６の弁体３６Ａに伝達される。供給弁３６は、弁座３６Ｂに対して、弁体３６Ａが可撓性膜４６の伸縮に連動して図５中の上下方向に変位することにより、インク供給管３５と記録ヘッド１との接続部を開閉する。これにより、記録ヘッド１からのインクの消費に応じて、記録ヘッド１にインクが供給される。
【００２８】
［温度の推定方法］
本実施形態においては、記録ヘッドの温度と環境温度とに差がある場合に、記録ヘッドの温度が環境温度にまで充分に近づくまで待つことなく、記録ヘッドの温度が周囲の流体の温度に充分に近づいたときのダイオードセンサ１７の検出温度を事前に推定する。このような検出温度の推定は、下記のような理論に基づくものである。
【００２９】
図６（ａ）の式１はニュートンの冷却法則の式であり、この式１によって、固体（記録ヘッド）と、その周囲の流体（空気）と、の間の熱交換が説明できる。式１において、Ｑ［Ｊ］は固体の熱量、ｔ［ｓｅｃ］は時間、Ｓ［ｍ2］は固体の表面積、Ｔ［Ｋ］は固体の温度、Ｔｍ［Ｋ］は流体の温度、α［Ｗ／（ｍ２・Ｋ）］は固体と流体の間の熱伝達率である。この式１は、固体と流体との間の温度差が大きいほど、また固体の表面積が大きいほど、また熱伝達率αが大きいほど、固体の熱量Ｑの時間変化が大きいことを意味する。式１において、右辺の負号は、高温から低温へ熱エネルギーが移動することを意味する。なお、熱伝達率αは、物性値ではなく、同じ種類の流体であってもその流量などによって変化する。一般的には、流体が空気よりも水である場合の方が熱伝達率αは大きく、また自然対流よりも強制対流の方が熱伝達率αは大きい。そのため、空気の自然対流の場合の熱伝達率αよりも、水の強制対流の場合の熱伝達率αの方が大きい。
【００３０】
図６（ｂ）の式２は、比熱容量の定義式である。質量ｍ［ｋｇ］の物質に、熱量Ｑ［Ｊ］を与えたときの温度変化Ｔ［Ｋ］から、比熱容量ｃ［Ｊ／（Ｋｇ・Ｋ）］が定義される。図６（ｃ）の式３は、式２を用いて式１から熱量Ｑ［Ｊ］を消去して、固体の温度Ｔ［Ｋ］を時間ｔ［ｓｅｃ］の関数で表したものである。式３は、固体の温度の時間変化は、固体と流体との間の温度差と、比例係数βと、に比例することを意味する。比例係数βは、図６（ｄ）の式４によって定義した。固体の表面積、質量、および比熱容量を固定すれば、比例係数βは熱伝達率αに比例する。図６（ｅ）の式５は、式３の微分方程式を、時間ｔ＝ｔ０で固体の温度Ｔ＝Ｔ０境界条件で解いたものである。これにより、任意の時間ｔにおける固体の温度Ｔが求められる。
【００３１】
図７は、式５を用いて、固体（記録ヘッド）の周囲の流体を気体（空気）または液体（インク）として、その固体の温度の経時変化の説明図である。具体的な条件として、時間ｔ＝０における記録ヘッド１の初期温度Ｔ０を４０［℃］とし、記録ヘッド１の周囲の流体の温度Ｔｍを２５［℃］とする。また、空気の比例係数βは０．００１８とし、インクの比例係数βは０．０１８とした。固体の表面積、質量、および比熱容量が同じ、かつ流体が同じとした場合、比例係数βは、空気およびインクの熱伝達率αに比例することになる。初期温度Ｔ０の固体が流体の温度Ｔｍとほぼ一致するまでの時間は、流体が空気の場合は、図７中の曲線Ｃ１のように１時間程度であり、一方、流体がインクの場合は、図７中の曲線Ｃ１のように５分程度となる。
【００３２】
次に、検出時間がずれた２つの時点における固体の温度の検出データに基づいて、その固体の周囲における流体の温度を推定する方法について説明する。
【００３３】
図６（ｇ）の式７は、図６（ｃ）の微分方程式３を次の境界条件で解いたものである。その境界条件は、時間ｔ１（ｔ＝ｔ１）における固体の温度を第１検出温度Ｔ１（Ｔ＝Ｔ１）とし、時間ｔ２（ｔ＝ｔ２）における固体の温度を第２検出温度Ｔ２（Ｔ＝Ｔ２）とした。説明の便宜上、検出時間の間隔をΔｔ（Δｔ＝ｔ２−ｔ１）とし、また固体の温度変化をΔＴ（ΔＴ＝Ｔ１−Ｔ２）として、図６（ｆ）の式６のように、係数Ａ、Ｂを定義した。これらの係数Ａ、Ｂは、比例係数βと時間間隔Δｔのみの関数であり、常に、Ａ＋Ｂ＝１の関係となる。また流体の熱容量が充分に大きければ、その流体の温度の変化は無視することができる。
【００３４】
図６（ｈ）の式８は、ΔＴ＝Ｔ１−Ｔ２およびＡ＋Ｂ＝１の関係により、式７から係数ＢとＴ２を消去したものである。流体の温度Ｔｍは、温度Ｔ２、係数Ａ、および固体の温度変化ΔＴによって表すことができる。係数Ａは、比例係数βと時間間隔Δｔのみの関数である。比例係数βは、固体の種類、流体の種類、流体の流速、および流体の圧力が同じであれば一定とみなすことができ、時間間隔Δｔを一定間隔に固定したときの係数とすることができる。つまり、実験によって比例係数βを測定しておけば、係数Ａを求めることができる。例えば、図６（ｉ）の式９のように、温度の検出ポイントの数を増やして平均処理することにより、流体の温度の推定精度は向上する。なお、検出時間の間隔Δｔから比例係数Ａ，Ｂが計算できるため、温度変化Δｔは一定である必要はない。
【００３５】
本実施形態においては、ダイオードセンサ１７による記録ヘッド（固体）１の検出温度から、記録ヘッド１の温度が周囲の流体の温度に充分に近づいたとき（流体温度に充分に馴染んだとき）のダイオードセンサ１７の検出温度を事前に推定する。すなわち、校正前のダイオードセンサ１７による任意の時間における２回以上の検出温度に基づいて、記録ヘッド１の温度が周囲の流体の温度に充分に近づいたときのダイオードセンサ１７の検出温度を事前に推定することができる。具体的には、図６（ｈ）の式８を用い、記録ヘッド１の検出温度の差ΔＴから、記録ヘッド１の温度が周囲の流体の温度に充分に近づいたときのダイオードセンサ１７の検出温度を事前に推定することができる。その推定したダイオードセンサ１７の検出温度と、環境温度と、の差から、ダイオードセンサ１７の検出温度の校正値を求めることができる。したがって、記録ヘッド１の温度と環境温度との間に差が生じている場合に、記録ヘッドの温度が環境温度にまで充分に近づくまで待つことなく、ダイオードセンサ１７の検出温度の校正値を求めることができる。
【００３６】
（ダイオードセンサの検出温度の校正処理）
図８は、ダイオードセンサ１７の検出温度の校正処理を説明するためのフローチャートである。
【００３７】
ダイオードセンサ１７による記録ヘッド１の検出温度をＴ、サーミスタ１０による記録装置内の雰囲気の検出温度（環境温度）をＴｍ、ダイオードセンサ１７の検出温度の校正値をＴａｄｊ、校正後の記録ヘッド１の温度をＴｈと定義する。また、異なるタイミングｔ１、ｔ２におけるダイオードセンサ１７による記録ヘッド１の検出温度Ｔは、Ｔ１、Ｔ２とする。このように、異なるタイミングにおける検出温度Ｔは添え字を用いて区別し、その添え字は、数字が小さいほど早いタイミングとする。
【００３８】
まず、ダイオードセンサ１７による記録ヘッド１の検出温度Ｔ１を読み取る（ステップＳ１）。その検出温度Ｔ１は、記録ヘッド１が装着された後であって、かつ記録ヘッド１に対するインクの初期充填が実施される前の検出温度である。次に、記録ヘッド１に対してインクを所期充填する（ステップＳ２）。記録ヘッド１を交換した場合、このようなインクの初期充填は必須であるため、不必要な時間の増加はない。
【００３９】
記録ヘッド１に対するインク初期充填は、次のような一連の動作によって実施される。
【００４０】
まず、図４のインクタンク３０から供給管３２へインクを導出するために、ポンプ３９によって圧力室３４内を減圧する。すなわち、弁３７を開いて、圧力室３４内を減圧させるようにポンプ３９を作動させることにより、インクタンク３０から導出されたインクが圧力室３４に貯留される。圧力室３４内にインクが所定の閾値まで貯留されたときに、圧力室３４内の減圧を停止させて、弁３７を閉じる。次に、圧力室３４内を加圧させるようにポンプ３９を作動させ、圧力室３４に貯留されたインクを所定の圧力まで加圧する。キャップ４１を記録ヘッド１の吐出口面に密着させてから、吸引ポンプ４５を作動させることにより、吐出口を介して記録ヘッド１の内部を減圧する。そして、弁３８を開くことにより、圧力室３４内のインクを記録ヘッド１内に供給することができる。所定量のインクが記録ヘッド１内に供給されてから、吸引ポンプ４５を停止させて、キャップ４１を記録ヘッド１から離す。記録ヘッド１内の負圧に応じて供給弁３６が閉じるまで記録ヘッド１内にインクが供給された後に、インクの供給が停止する。このような一連の動作により、記録ヘッド１に対するインクの初期充填が完了する。
【００４１】
このような図８のインクの充填動作（ステップＳ２）の後、ダイオードセンサ１７による記録ヘッド１の検出温度Ｔ２を読み取る（ステップＳ３）。その検出温度Ｔ２は、インクの所期充填が実施された後の記録ヘッド１の検出温度である。その後、インク充填の前後における検出温度Ｔ１，Ｔ２の差ΔＴ（Ｔ１−Ｔ２）を算出する（ステップＳ４）。温度差ΔＴは、記録ヘッド１の温度が環境温度よりも高い場合には、記録ヘッド１の温度が時間の経過と共に下がるためプラスとなり、記録ヘッド１の温度が環境温度よりも低い場合には、記録ヘッド１の温度が時間の経過と共に上がるためマイナスとなる。
【００４２】
次に、前述したように、図６（ｈ）の式８を用いて、記録ヘッド１の温度が環境温度に充分に近づいたときのダイオードセンサ１７による記録ヘッド１の推定検出温度Ｔｅを事前に推定する（ステップＳ５）。式８中の係数Ａは、前述したように温度検出の時間間隔Δｔの関数であるが、インクの充填時間は一定と見なすことができるため定数となる。すなわち、検出温度Ｔ１、Ｔ２が分かれば、記録ヘッド１の温度が環境温度に充分に近づいたときのダイオードセンサ１７による記録ヘッド１の検出温度Ｔｅを事前に推定することができる。
【００４３】
その後、記録ヘッド１の環境温度Ｔｍを読み取る（ステップＳ６）。環境温度Ｔｍの検出方法は、本例のようにサーミスタ１０（図１参照）を用いる方法に限定されず、例えば、インク流路中の温度センサなどを用いてもよい。一般的に、サーミスタ１０の検出精度は、ダイオードセンサ１７の検出精度よりも高いため、ダイオードセンサ１７の検出温度の校正値を求めるための基準とすることができる。その後、推定した検出温度Ｔｅと、環境温度Ｔｍと、の差から、ダイオードセンサ１７の検出温度の校正値Ｔａｄｊを算出する（ステップＳ７）。したがって、その後におけるダイオードセンサ１７の検出温度Ｔに対して、その校正値Ｔａｄｊを加えることにより、記録ヘッド１の検出温度Ｔを校正することができる（ステップＳ８）。校正後の検出温度Ｔｈ（＝Ｔ＋Ｔａｄｊ）であり、その後におけるダイオードセンサ１７の検出温度Ｔを校正して検出温度Ｔｈとすることにより、その校正後の検出温度Ｔｈを記録ヘッド１の駆動制御に用いることができる。
【００４４】
［温度推定における誤差の影響に関する説明］
次に、図３を用いて、上述したように推定する検出温度（推定検出温度）の精度について説明する。ダイオードセンサ１７の検出温度の校正値を求める主な目的は、ダイオードセンサ特有のオフセット誤差を校正するためである。
【００４５】
ダイオードセンサ１７のオフセット誤差をＥｏｆｓとする。本例の場合、ダイオードセンサ１７の順方向電圧Ｖｆと検出温度との関係は２．１ｍＶ／℃であり、その電圧Ｖｆは、増幅回路２２および２３により２倍および５倍に増幅されて、合計１０倍に増幅される。その増幅された電圧Ｖｆと検出温度との関係は、Ａ／Ｄ変換回路２５に入力される段では２１ｍＶ／℃となる。オフセット誤差Ｅｏｆｓは順方向電圧Ｖｆに対して±２５ｍＶであり、これを検出温度に換算すると、２．１ｍＶ／℃の関係から±１１．９℃となる。オフセットＥｏｆｓは、系統誤差すなわち固体ばらつきによるものであり、変動しない。
【００４６】
Ａ／Ｄ変換回路２５によるＡ／Ｄ変換誤差をＥａｄとする。Ａ／Ｄ変換回路２５の入力電圧レンジは３．３Ｖとし、分解能を１０ｂｉｔとする。検出温度レンジは、入力電圧レンジを増幅後の電圧Ｖｆ電圧によって割ることにより得られて、１５７℃（＝３．３Ｖ  ÷  ２１ｍＶ／℃）となる。また、アナログ値をデジタル値に量子化する際の分解能は、検出温度レンジを分解能で割ることにより得られて、０．１５℃（＝１５７℃÷１０２４）の単位となる。Ａ／Ｄ変換誤差Ｅａｄは偶然誤差であるため、検出条件などによって変動する。
【００４７】
図９は、流体が空気およびインクの場合の、ダイオードセンサの検出温度の校正値の算出過程における具体的な数値の説明図である。
【００４８】
推定検出温度（以下、単に、「推定温度」ともいう）に対する偶然誤差の影響を分かりやすくするために、図９（ａ）においてはＡＤ変換誤差Ｅａｄを０［℃］とし、図９（ｂ）においてはＡ／Ｄ変換誤差Ｅａｄを±０．１５［℃］とする。また、図９（ａ），（ｂ）のそれぞれにおいて、Ａ／Ｄ変換誤差Ｅａｄは、検出温度Ｔ１の取得時に＋側へ変化し、検出温度Ｔ２の取得時に−側に変化すると仮定した。また、オフセット誤差Ｅｏｆｓは、図９（ａ）、（ｂ）のそれぞれにおいて＋３．０［℃］とした。以降、アポストロフィー（‘）の有無によって、「真の値」と「誤差を含む値」とを区別する。例えば、インク充填前の記録ヘッドの温度Ｔ１は、「真の値」であればＴ１であり、「誤差を含む値」であれがＴ１’となる。また、流体が空気の場合には、インク充填の前後における記録ヘッドの温度差は、インクの代わりに空気との熱交換によるものであるとして読み替えるものとする。
【００４９】
また、以降の説明においては、インク温度が環境温度（記録装置周辺の雰囲気温度）と同じ温度であることを前提とする。インクジェット記録装置の中でも特に大判サイズの記録媒体に記録する記録装置は、画像を記録するためにインクを大量に消費する。そのため、図１のようなシリアル型の記録装置においては、記録ヘッドの対するインクの供給方式として、いわゆるオンキャリッジ方式ではなく、いわゆるチューブ供給方式が多く採用される。オンキャリッジ方式においては、キャリッジ２にインクタンクが搭載され、チューブ供給方式においては、記録装置内の定位置に備わる大容量のインクタンクから、チューブを通して記録ヘッドにインクが供給される。本例のシリアル型の記録装置においてもチューブ供給方式が採用され、図１のように、インク供給システム７における大容量のインクタンクから、供給チューブ８を通して記録ヘッド１にインクが供給される。そのため、インクタンク内のインクの温度は、環境温度に充分に近づいていることが想定される。
【００５０】
図９（ａ）において、流体がインクの場合には、基体が空気の場合の場合よりも温度変化ΔＴが大きく、定数Ａの絶対値が小さくなる。その理由は、前述したように、流体がインクの場合には、熱伝導率αが大きいために比例係数βが大きくなるからである。しかし、計算式にしたがって算出した推定温度、つまり環境温度に充分に近づいたときの記録ヘッドの推定温度Ｔｅ’は、流体の種類（インクおよび空気など）に拘わらず２８．０［℃］であり、検出温度の校正値も流体の種類に拘わらず−３．０［℃］である。予め設定したオフセット誤差Ｅｏｆｓは３．０［℃］であるため、図９（ａ）のような偶然誤差のない理想状態では、流体の種類に拘わらず、環境温度に充分に近づいたときの記録ヘッドの推定温度を同じ精度で推定できる。
【００５１】
図９（ｂ）のように偶然誤差がある場合には、インク充填の前後における温度差ΔＴ’が図９（ａ）の場合と異なる。その理由は、温度差ΔＴ’がΔＴ’＝Ｔ１’−Ｔ２’＝Ｔ１−Ｔ２＋（２＊Ｅａｄ）となり、系統誤差は差分により消去されたものの、偶然誤差Ｅａｄが依然として残ったからである。また、流体が空気の場合の温度差ΔＴは１．５℃であり、流体がインクの場合の温度差ΔＴは９．９℃である。そのため、インクの充填前後の温度差ΔＴを求める際においては、流体が空気の場合の方が偶然誤差Ｅａｄの影響は大きい。また、流体の種類が空気の場合の係数Ａは−８．７７であり，流体がインクの場合の係数Ａは−０．５１であり、流体が空気の場合の方が係数Ａの絶対値は大きい。
【００５２】
さらに、環境温度に充分に近づいたときの記録ヘッドの推定温度は、誤差を含む値Ｔｅ’がＴｅ’＝Ｔ２’＋Ａ＊ΔＴ’と表され、その右辺の第２項は、係数Ａと温度差ΔＴ’との積となる。したがって、流体が空気の場合には、流体がインクの場合に対して、温度差ΔＴ’に占める偶然誤差の割合が大きく、かつ係数Ａも大きいため、偶然誤差の影響が増幅されてしまう。その結果、流体が空気の場合には、環境温度に充分に近づいたときの記録ヘッドの推定温度Ｔｅ’が大きくずれてしまい、検出温度の校正値Ｔａｄｊは−０．４℃となり、その理論値Ｔａｄｊの−３．０℃から２．６℃も大きくずれる。一方、流体がインクの場合には、検出温度の校正値Ｔａｄｊは−２．７℃であり、理論値Ｔａｄｊの−３．０℃に対して０．３℃のずれで収まっている。
【００５３】
以上のように、本実施形態においては、インク充填の前後における記録ヘッドの温度差から、記録ヘッドが環境温度に充分に近づいたときの記録ヘッドを事前に推定し、その推定方法は、下記の2つの点を特徴とする。第１の特徴は、インクのような熱伝達率αが大きい流体を用いて、記録ヘッドと熱交換を行うことにより、係数Ａの絶対値が小さくなり、またΔＴの絶対値も大きくなるため、偶然誤差の影響を小さくすることができることである。すなわち推定精度が向上する。第２の特徴は、新品の記録ヘッドを記録装置に装着した際に、必須動作である記録ヘッドへのインクの充填動作を利用することである。これにより、記録ヘッドが環境温度に充分に近づいたときの記録ヘッドの温度を事前に推定するために、インクを無駄に消費することもなく、また特別な時間を要しないため待ち時間もない。
【００５４】
（第２の実施形態）
上述した第１の実施形態においては、記録ヘッドの交換時におけるインク充填を利用して、記録ヘッドの温度を推定した。本発明の第２の実施形態においては、記録装置の本体の初期設置時におけるインクの充填（以下、「初期充填」という）を利用して、記録ヘッドの温度を推定する。説明の重複を避けるため、前述した第１の実施形態と同様の部分の説明は省略し、また記号などは、特に断りのない限り第１の実施形態と同じである。
【００５５】
初期充填の動作においては、図１のインク供給システム７に不図示のメインタンクからインクを充填してから、そのメインタンク内のインクが供給チューブ８を介して記録ヘッド１に充填される。前述した第１の実施形態における記録ヘッドの交換時のインク充填の場合には、予め供給チューブ８までインクが充填されている。しかし、本実施形態のような初期充填時には、供給チューブ８には未だインクが充填されていないため、前述した第１の実施形態の場合に比して、記録ヘッド１に対するインクの充填には数倍程度の時間が掛かる。また、環境条件（温度および気圧）によっては、図２のキャップ４１と吸引ポンプ４５によって記録ヘッド１の内部の減圧を開始してから、メインタンク内のインクが記録ヘッド１内に到達するまでに要する時間（以下、「インク到達時間」という）が変化する。例えば、低温環境下においては、インクの粘度が増加するため、その粘性抵抗が増加してインク到達時間が長くなる。また、高地などの減圧環境下においては、吸引ポンプ４５による吸引量が同じであっても大気圧が低いために、インク到達時間が長くなる。その他、吸引ポンプ４５の公差などの様々な条件によって、インク到達時間は変化する。そのインク到達時間は長くなる場合もあり、また短くなる場合もある。
【００５６】
また、インクの初期充填において、記録ヘッド１に充填されるインク量が規定量より少ない場合には、記録ヘッド１におけるインクの不吐出および記録画像の濃度ムラなどが発生するおそれがある。そのため一般的には、吸引ポンプ４５の公差などのが積み上げられることを考慮して、充分なインク充填量が得られるように、充填時間が充分長くする設定されている。
【００５７】
図１０は、インクの初期充填時において、記録ヘッド１の温度と環境温度とのずれが大きい場合の説明図である。
【００５８】
図１０（ａ）は、インクの初期充填における記録ヘッド１のダイオードセンサ１７の検出温度をプロットしたグラフである。インクの初期充填が開始された時刻Ｔ０（ｔ＝ｔ０）における記録ヘッド温度を４０℃（Ｔ０＝４０℃）とし、その後、記録ヘッド１にインクが到達した時刻ｔ１（ｔ＝ｔ１）における記録ヘッド１の温度を３７℃（Ｔ１＝３７℃）とする。また、インクの初期充填が完了した時刻ｔ２（ｔ＝ｔ２）における記録ヘッド１の温度を２８℃（Ｔ２＝２８℃）とし、また環境温度を２５℃（Ｔｍ＝２５℃）とする。時刻ｔ０から時刻ｔ１までの間の温度変化が小さい理由は、インクが記録ヘッド１まで到達しておらず、記録ヘッド１内の流体である空気の比例係数βが小さいからである。時刻ｔ０と時刻ｔ２は、記録装置のＣＰＵ１０１が制御しているため把握可能である。しかし、記録ヘッド１にインクが到達する時刻ｔ１、つまり記録ヘッド１にインクが入り始めた時点は、前述したような様々な要因によって変動する。
【００５９】
前述したように、記録ヘッドの温度が環境温度に充分に近づいたときの記録ヘッドの温度を事前に推定するためには、時間間隔Δｔ、温度変化ΔＴ、および比例係数βが必要である。なお、時間間隔Δｔ＝ｔ２−ｔ０として、温度変化の定義をΔＴ＝Ｔ０−Ｔ２とすることもできる。しかし、インクの到達時刻によっては、つまり比例係数βが切り替わるタイミングによっては、環境温度に充分に近づいたときの記録ヘッドの温度の推定誤差が大きくなってしまう。このように、インクの初期充填時においては、インクの到達時刻ｔ１を正確に把握することが重要となる。
【００６０】
図１０（ｂ）は、インクの到達時刻ｔ１の推定方法の説明図でる。
【００６１】
記録ヘッド１のダイオードセンサ１７の検出温度は、インクの初期充填の開始時から定期的（例えば、１秒毎）に取得するものとする。図１０（ｂ）は、任意の検出タイミングにおけるダイオードセンサ１７の検出温度に関して、今回の検出温度と前回の検出温度との間の差分を検出時間の間隔で割った値をプロットしたグラフである。数学的には、検出時間の間隔を無限に小さくすると、図１０（ｂ）のグラフは、図１０（ａ）のグラフの接線の傾き（１階微分）に相当する。同様に、図１０（ｃ）のグラフは、図１０（ａ）のグラフの２階微分に相当する。
【００６２】
具体的に、インクの到達時刻ｔ１を求めるためには、例えば、図１０（ｃ）の２階微分値（＝±０．１［℃／ｓ2］）を閾値±Ｔｈ１と比較する。そして、ダイオードセンサ１７の検出温度が環境温度よりも高い場合には、図１０（ｃ）のように、インクの初期充填の開始から２階微分値が初めて閾値を越えた時をインクの到達時刻ｔ１と判定する。また、ダイオードセンサ１７の検出温度が環境温度よりも低い場合には、図１０（ｃ）のように、インクの初期充填の開始から２階微分値が初めて閾値未満となった時をインクの到達時刻ｔ１と判定する。このような方法により、インクの初期充填時におけるインクの到達時刻ｔ１を正確に推定することができる。このようなインクの到達時刻ｔ１以降、つまり記録ヘッド１にインクが入り始めた時点以降において、ダイオードセンサ１７は、記録ヘッド１の温度を少なくとも２回検出する。記録ヘッド１の温度が環境温度に充分に近づいたときのダイオードセンサ１７の検出温度の推定方法は、前述した第１の実施形態と同様であるため説明は省略する。
【００６３】
図１１は、インクの初期充填時において、記録ヘッド１の温度と環境温度とのずれが小さい場合の説明図である。
【００６４】
図１１の例においては、インクの初期充填の開始時における記録ヘッド１の温度を２７℃（Ｔ０＝２７℃）とし、環境温度を２５℃（Ｔｍ＝２５℃）とした。その他の条件は、図１０の例と同じである。図１１（ａ）は、インクの初期充填における記録ヘッド１のダイオードセンサ１７の検出温度をプロットしたグラフである。図１１（ｂ），（ｃ）のように、環境温度と記録ヘッド温度との温度差が小さい場合には、記録ヘッド１内の流体が空気から水、または水から空気に変わったときの１階微分値および２階微分値が小さくなる。つまり、これらの１階微分値および２階微分値は、記録ヘッド１の温度が環境温度に充分に近づいたか否かの判断に使用可能である。具体的には、例えば、特定の値の２階微分値と閾値±Ｔｈ１とを比較して、その２階微分値が閾値±Ｔｈ１を超えた場合には、その超えたタイミングをインクの到達時刻ｔ１とする。そして、下式（１０）から、ダイオードセンサ１７の検出温度の校正値Ｔａｄｊを算出することができる。
Ｔａｄｊ＝Ｔｍ−（Ｔ２＋Ａ＊ΔＴ）  ・・・  （１０）
【００６５】
一方、その２階微分値が閾値±Ｔｈ１を超えなかった場合には、既に、記録ヘッド1の温度が充分に環境温度に近づいていると判断し、下式（１１）から、ダイオードセンサ１７の検出温度の校正値Ｔａｄｊを算出すればよい。
Ｔａｄｊ＝Ｔｍ−Ｔ２  ・・・  （１１）
【００６６】
このように本実施形態においては、インクの初期充填の動作を利用して、記録ヘッド１のダイオードセンサ１７の検出温度からインクの到達時刻ｔ１を正確に推定して、ダイオードセンサ１７の検出温度の校正値を求めることができる。本実施形態においては、微分値を用いて説明した。実際には、検出間隔を無限に小さくすることはできないため、有限の検出間隔における検出温度の第１差分値、もしくは、第２差分値（第１差分値の差分値）を使用することになる。
【００６７】
また、本実施形態においては、インクの到達時刻が比較的長いインクの初期充填の動作の場合について説明した。しかし、このようなインクの到達時刻を利用する方法は、前述した第１の実施形態における記録ヘッドの交換時におけるインク充填を利用する場合にも適用できる。その理由は、記録ヘッドの交換時におけるインク充填において、インクの充填開始から記録ヘッド１にインクが到達までの時間は、第２の実施形態のようなインクの初期充填時よりも短いものの、ゼロでないからである。
【００６８】
（他の実施形態）
記録ヘッドがインク以外の液体を吐出する場合には、それらのインク以外の液体を記録ヘッドに充填するときに、記録ヘッドの温度検出用のダイオードセンサの検出温度の校正値を求めることもできる。インク以外の液体としては、例えば、記録画像の耐水性または光沢性を向上させるための処理液などが挙げられる。また、製造後の記録ヘッドを搬送する前に、インクとは異なる搬送用の液体を記録ヘッドに充填する場合には、その搬送用の液体の記録ヘッドに充填するときに、記録ヘッドの温度検出用のダイオードセンサの検出温度の校正値を求めることもできる。また、記録ヘッドの温度を検出するセンサは、ダイオードセンサに特定されず、種々の温度センサを用いることができる。
【００６９】
また、本発明を適用可能なインクジェット記録装置は、前述した図１のようなシリアル型の記録装置に限定されない。例えば、記録ヘッドの記録位置を通して記録媒体を連続的に搬送させることによって、記録媒体に画像を記録する、いわゆるフルライン型の記録装置に対しても本発明を適用することができる。要は、移動手段による記録ヘッドと記録媒体との相対移動を伴って、記録媒体に画像を記録可能な種々の形式の記録装置に対して、本発明を適用することができる。
【００７０】
また本発明は、吐出ヘッドから種々の液体を吐出させる様々な液体吐出装置に対しても適用することができ、それらの液体を吐出ヘッドに充填する液体充填のときに、その吐出ヘッドの温度検出用のセンサの検出温度の校正値を求めることができる。
【００７１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７２】
１  記録ヘッド
５  記録媒体
１０  サーミスタ（第２検出部）
１７  ダイオードセンサ（第１検出部）
１００  主制御部
【図１】
2019104185.tif 000003
【図２】
2019104185.tif 000004
【図３】
2019104185.tif 000005
【図４】
2019104185.tif 000006
【図５】
2019104185.tif 000007
【図６】
2019104185.tif 000008
【図７】
2019104185.tif 000009
【図８】
2019104185.tif 000010
【図９】
2019104185.tif 000011
【図１０】
2019104185.tif 000012
【図１１】
2019104185.tif 000013